(57)【要約】【課題】ヘルメットのような人体に対する負担は少なく、また災害時における頭部の防護を行え、更には収納性や携帯性に優れた頭部保護部材、及びこの頭部保護部材を設けた帽子を提供すること。【解決手段】本発明の頭部保護部材は、人体の前頭部及び後頭部を少なくとも覆う帽子の外表面に設ける頭部保護部材であって、前記前頭部に対応する位置に配置する前頭部側部材と、前記後頭部に対応する位置に配置する後頭部側部材とを有し、前記前頭部側部材及び前記後頭部側部材を硬質材で構成し、前記前頭部側部材及び前記後頭部側部材が凸面状に形成され、前記人体が前記帽子を装着する状態では、前記前頭部側部材と前記後頭部側部材とが連結され、前記帽子を収納又は搬送する状態では、前記前頭部側部材と前記後頭部側部材とを重ね合わせることを特徴とする。【選択図】        図1
2014098221.tif 000002
【特許請求の範囲】
【請求項１】
人体の前頭部及び後頭部を少なくとも覆う帽子の外表面に設ける頭部保護部材であって、
前記前頭部に対応する位置に配置する前頭部側部材と、前記後頭部に対応する位置に配置する後頭部側部材とを有し、
前記前頭部側部材及び前記後頭部側部材を硬質材で構成し、
前記前頭部側部材及び前記後頭部側部材が凸面状に形成され、
前記人体が前記帽子を装着する状態では、前記前頭部側部材と前記後頭部側部材とが連結され、
前記帽子を収納又は搬送する状態では、前記前頭部側部材と前記後頭部側部材とを重ね合わせることができることを特徴とする頭部保護部材。
【請求項２】
前記前頭部側部材の後方部には前頭部側部材連結部が形成され、前記後頭部側部材の前方部には後頭部側部材連結部が形成され、
前記前頭部側部材連結部と前記後頭部側部材連結部とを重ね合わせて、前記前頭部側部材と前記後頭部側部材とを連結することを特徴とする請求項１に記載の頭部保護部材。
【請求項３】
前記前頭部側部材の両側方部又は前方部には前頭部側部材取付部が形成され、前記後頭部側部材の両側方部又は後方部には後頭部側部材取付部が形成され、
前記前頭部側部材取付部によって前記前頭部側部材を前記帽子に取り付け、
前記後頭部側部材取付部によって前記後頭部側部材を前記帽子に取り付け、
前記前頭部側部材と前記後頭部側部材とを前記帽子に取り付けた状態で前記前頭部側部材と前記後頭部側部材とを重ね合わせることを特徴とする請求項１又は請求項２に記載の頭部保護部材。
【請求項４】
前記前頭部側部材が前記後頭部側部材よりも大きく、
前記帽子と前記前頭部側部材との間に前記後頭部側部材を配置することで、前記前頭部側部材と前記後頭部側部材とを重ね合わせることを特徴とする請求項１から請求項３のいずれかに記載の頭部保護部材。
【請求項５】
一端を前記帽子に取り付け、他端を前記前頭部側部材取付部又は前記後頭部側部材取付部に取り付ける所定長さの装着部材を用いることを特徴とする請求項１から請求項４のいずれかに記載の頭部保護部材。
【請求項６】
前記前頭部側部材及び前記後頭部側部材の内表面に緩衝材を貼り付けたことを特徴とする請求項１から請求項５のいずれかに記載の頭部保護部材。
【請求項７】
請求項１から請求項６のいずれかに記載の頭部保護部材を前記外表面に設けたことを特徴とする帽子。
【請求項８】
耐火布又は耐熱布で形成したことを特徴とする請求項７に記載の帽子。
【発明の詳細な説明】
【技術分野】
【０００１】
本発明は、人体の前頭部及び後頭部を少なくとも覆う帽子の外表面に設ける頭部保護部材、及びこの頭部保護部材を設けた帽子に関する。
【背景技術】
【０００２】
従来から、ヘルメットではなく、保護材を装着した布製の帽子が提案されている。
例えば、特許文献１では、頭部カバーに円形の鉄板を縫い込むとともに、硬質材からなる複数の保護ピースを袋内に挿入できる安全帽子を提案している。保護ピース間には若干の隙間を設けているため、折りたたみが容易であり、ヘルメットと比較して持ち運びが便利で着用者の負担も少ない。
また、特許文献２では、帽体内であって、少なくとも後頭部、頂部、側頭部を覆うように構成された硬質樹脂製シェルと、その内側に貼り付けられた緩衝材とを備えた保護帽子を提案している。硬質樹脂製シェルは、四半球形状としており、後頭部の保護に重点を置き、前頭部側は布製の帽体とすることで、軽量化やファッション性を高めている。
【先行技術文献】
【特許文献】
【０００３】
【特許文献１】特開２０００−８２１９号公報
【特許文献２】特開２００３−１２９３２４号公報
【発明の概要】
【発明が解決しようとする課題】
【０００４】
特許文献１は、特に折りたたみによる持ち運びが便利なものであるが、保護ピース間には隙間を有するため、その隙間に局部的な衝撃が加わった場合の安全性に問題がある。また、保護ピースに衝撃が加わった場合であっても、保護ピース同士での衝撃緩和作用が極めて少ないため、保護ピースから人体頭部に加わる衝撃が大きくなってしまう。
また、特許文献２では、その目的通り後頭部の保護には優れているが、前頭部を十分に保護できないという問題がある。
【０００５】
本発明は、ヘルメットのような人体に対する負担は少なく、また災害時における頭部の防護を行え、更には収納性や携帯性に優れた頭部保護部材、及びこの頭部保護部材を設けた帽子を提供することを目的とする。
【課題を解決するための手段】
【０００６】
請求項１記載の本発明の頭部保護部材は、人体の前頭部及び後頭部を少なくとも覆う帽子の外表面に設ける頭部保護部材であって、前記前頭部に対応する位置に配置する前頭部側部材と、前記後頭部に対応する位置に配置する後頭部側部材とを有し、前記前頭部側部材及び前記後頭部側部材を硬質材で構成し、前記前頭部側部材及び前記後頭部側部材が凸面状に形成され、前記人体が前記帽子を装着する状態では、前記前頭部側部材と前記後頭部側部材とが連結され、前記帽子を収納又は搬送する状態では、前記前頭部側部材と前記後頭部側部材とを重ね合わせることができることを特徴とする。
請求項２記載の本発明は、請求項１に記載の頭部保護部材において、前記前頭部側部材の後方部には前頭部側部材連結部が形成され、前記後頭部側部材の前方部には後頭部側部材連結部が形成され、前記前頭部側部材連結部と前記後頭部側部材連結部とを重ね合わせて、前記前頭部側部材と前記後頭部側部材とを連結することを特徴とする。
請求項３記載の本発明は、請求項１又は請求項２に記載の頭部保護部材において、前記前頭部側部材の両側方部又は前方部には前頭部側部材取付部が形成され、前記後頭部側部材の両側方部又は後方部には後頭部側部材取付部が形成され、前記前頭部側部材取付部によって前記前頭部側部材を前記帽子に取り付け、前記後頭部側部材取付部によって前記後頭部側部材を前記帽子に取り付け、前記前頭部側部材と前記後頭部側部材とを前記帽子に取り付けた状態で前記前頭部側部材と前記後頭部側部材とを重ね合わせることを特徴とする。
請求項４記載の本発明は、請求項１から請求項３のいずれかに記載の頭部保護部材において、前記前頭部側部材が前記後頭部側部材よりも大きく、前記帽子と前記前頭部側部材との間に前記後頭部側部材を配置することで、前記前頭部側部材と前記後頭部側部材とを重ね合わせることを特徴とする。
請求項５記載の本発明は、請求項１から請求項４のいずれかに記載の頭部保護部材において、一端を前記帽子に取り付け、他端を前記前頭部側部材取付部又は前記後頭部側部材取付部に取り付ける所定長さの装着部材を用いることを特徴とする。
請求項６記載の本発明は、請求項１から請求項５のいずれかに記載の頭部保護部材において、前記前頭部側部材及び前記後頭部側部材の内表面に緩衝材を貼り付けたことを特徴とする。
請求項７記載の本発明の帽子は、請求項１から請求項６のいずれかに記載の頭部保護部材を前記外表面に設けたことを特徴とする。
請求項８記載の本発明は、請求項７に記載の帽子において、耐火布又は耐熱布で形成したことを特徴とする。
【発明の効果】
【０００７】
本発明によれば、帽子の外表面に前頭部側部材と後頭部側部材とが連結された状態で取り付けられるため、ヘルメットのような人体に対する負担は少なく、また災害時における頭部の防護を行え、更には前頭部側部材と後頭部側部材とを重ね合わせることができるため、収納性や携帯性に優れている。
【図面の簡単な説明】
【０００８】
【図１】本発明の一実施例による頭部保護部材正面図
【図２】同頭部保護部材の背面図
【図３】同頭部保護部材の平面図
【図４】同頭部保護部材の右側面図
【図５】同頭部保護部材の左側面図
【図６】同頭部保護部材の底面図
【図７】同頭部保護部材の斜視図
【図８】同頭部保護部材を構成する前頭部側部材の外表面の斜視図
【図９】同頭部保護部材を構成する前頭部側部材の内表面の斜視図
【図１０】同頭部保護部材を構成する後頭部側部材の外表面の斜視図
【図１１】同頭部保護部材を構成する後頭部側部材の内表面の斜視図
【図１２】本発明の一実施例による頭部保護部材を設けた帽子の正面図
【図１３】同帽子の背面図
【図１４】同帽子の平面図
【図１５】同帽子の右側面図
【図１６】同帽子の左側面図
【図１７】同帽子の底面図
【図１８】同帽子の斜視図
【図１９】同帽子の第１の収納又は搬送形態を示す正面図
【図２０】同帽子の第１の収納又は搬送形態を示す背面図
【図２１】同帽子の第１の収納又は搬送形態を示す平面図
【図２２】同帽子の第１の収納又は搬送形態を示す右側面図
【図２３】同帽子の第１の収納又は搬送形態を示す左側面図
【図２４】同帽子の第１の収納又は搬送形態を示す底面図
【図２５】同帽子の第１の収納又は搬送形態を示す斜視図
【図２６】同帽子の第２の収納又は搬送形態を示す正面図
【図２７】同帽子の第２の収納又は搬送形態を示す背面図
【図２８】同帽子の第２の収納又は搬送形態を示す平面図
【図２９】同帽子の第２の収納又は搬送形態を示す右側面図
【図３０】同帽子の第２の収納又は搬送形態を示す左側面図
【図３１】同帽子の第２の収納又は搬送形態を示す底面図
【図３２】同帽子の第２の収納又は搬送形態を示す斜視図
【発明を実施するための形態】
【０００９】
本発明の第１の実施の形態による頭部保護部材は、前頭部に対応する位置に配置する前頭部側部材と、後頭部に対応する位置に配置する後頭部側部材とを有し、前頭部側部材及び後頭部側部材を硬質材で構成し、前頭部側部材及び後頭部側部材が凸面状に形成され、人体が帽子を装着する状態では、前頭部側部材と後頭部側部材とが連結され、帽子を収納又は搬送する状態では、前頭部側部材と後頭部側部材とを重ね合わせることができるものである。本実施の形態によれば、帽子の外表面に前頭部側部材と後頭部側部材とが連結された状態で取り付けられるため、ヘルメットのような人体に対する負担は少なく、また災害時における頭部の防護を行え、更には前頭部側部材と後頭部側部材とを重ね合わせることができるため、収納性や携帯性に優れている。
【００１０】
本発明の第２の実施の形態は、第１の実施の形態による頭部保護部材において、前頭部側部材の後方部には前頭部側部材連結部が形成され、後頭部側部材の前方部には後頭部側部材連結部が形成され、前頭部側部材連結部と後頭部側部材連結部とを重ね合わせて、前頭部側部材と後頭部側部材とを連結するものである。本実施の形態によれば、前頭部側部材と後頭部側部材とは、前頭部側部材連結部と後頭部側部材連結部とを重ね合わせて連結されるため、前頭部側部材と後頭部側部材との間に衝撃が加わった場合にも安全性が高い。
【００１１】
本発明の第３の実施の形態は、第１又は第２の実施の形態による頭部保護部材において、前頭部側部材の両側方部又は前方部には前頭部側部材取付部が形成され、後頭部側部材の両側方部又は後方部には後頭部側部材取付部が形成され、前頭部側部材取付部によって前頭部側部材を帽子に取り付け、後頭部側部材取付部によって後頭部側部材を帽子に取り付け、前頭部側部材と後頭部側部材とを帽子に取り付けた状態で前頭部側部材と後頭部側部材とを重ね合わせるものである。本実施の形態によれば、前頭部側部材は両側方部又は前方部で帽子に取り付けられ、後頭部側部材は両側方部又は後方部で帽子に取り付けられるため、前頭部側部材と後頭部側部材とを帽子に取り付けた状態で前頭部側部材と後頭部側部材とを重ね合わせることができる。
【００１２】
本発明の第４の実施の形態は、第１から第３の実施の形態による頭部保護部材において、前頭部側部材が後頭部側部材よりも大きく、帽子と前頭部側部材との間に後頭部側部材を配置することで、前頭部側部材と後頭部側部材とを重ね合わせるものである。本実施の形態によれば、帽子と前頭部側部材との間に後頭部側部材を配置して前頭部側部材と後頭部側部材とを重ね合わせることができるため、帽子から頭部保護部材を取り外すことなく収納又は携帯することができる。
【００１３】
本発明の第５の実施の形態は、第１から第４の実施の形態による頭部保護部材において、一端を帽子に取り付け、他端を前頭部側部材取付部又は後頭部側部材取付部に取り付ける所定長さの装着部材を用いるものである。本実施の形態によれば、所定長さの装着部材を用いることで、帽子に頭部保護部材を取り付けた状態での前頭部側部材と後頭部側部材との重ね合わせを容易に行うことができる。
【００１４】
本発明の第６の実施の形態は、第１から第５の実施の形態による頭部保護部材において、前頭部側部材及び後頭部側部材の内表面に緩衝材を貼り付けたものである。本実施の形態によれば、緩衝材によって更に人体頭部への衝撃を小さくすることができる。
【００１５】
本発明の第７の実施の形態による帽子は、第１から第６の実施の形態による頭部保護部材を外表面に設けたものである。本実施の形態によれば、災害時における頭部の防護を行える。
【００１６】
本発明の第８の実施の形態は、第７の実施の形態による帽子において、耐火布又は耐熱布で形成したものである。本実施の形態によれば、特に火災時に安全に使用することができる。
【実施例】
【００１７】
以下本発明の実施例について図面とともに説明する。
図１は本発明の一実施例による頭部保護部材の正面図、図２は同頭部保護部材の背面図、図３は同頭部保護部材の平面図、図４は同頭部保護部材の右側面図、図５は同頭部保護部材の左側面図、図６は同頭部保護部材の底面図、図７は同頭部保護部材の斜視図、図８は同頭部保護部材を構成する前頭部側部材の外表面の斜視図、図９は同頭部保護部材を構成する前頭部側部材の内表面の斜視図、図１０は同頭部保護部材を構成する後頭部側部材の外表面の斜視図、図１１は同頭部保護部材を構成する後頭部側部材の内表面の斜視図である。
【００１８】
本実施例による頭部保護部材は、人体の前頭部に対応する位置に配置する前頭部側部材１０と、人体の後頭部に対応する位置に配置する後頭部側部材２０とを有している。なお、本実施例では、頭部保護部材を、前頭部側部材１０と後頭部側部材２０との２つの部材で構成しているが、前頭部側部材１０と後頭部側部材２０との間に頭頂部材を設けて３つの部材で構成してもよい。また、左右の側頭部に対応する位置に配置する側頭部側部材を更に設けてもよい。
前頭部側部材１０及び後頭部側部材２０は硬質材で構成する。硬質材には、ポリカーボネート、ポリエチレン、アクリロニトリル・ブタン・スチレンなどの熱可塑性樹脂、ポリエステル樹脂をガラス繊維で強化した熱硬化性樹脂が適している。なお、硬質材として、ステンレスやアルミニウムなどの金属材を用いてもよい。頭頂部材や側頭部側部材を更に設ける場合には、これらの部材についても、前頭部側部材１０及び後頭部側部材２０と同一材料である硬質材で構成する。
前頭部側部材１０及び後頭部側部材２０は、人体の頭部形状又は帽子１のクラウン形状に対応した凸面状に形成されている。前頭部側部材１０は後頭部側部材２０よりも、平面視で大きく形成している。
【００１９】
前頭部側部材１０の後方部には前頭部側部材連結部１１が形成され、前頭部側部材１０の両側方部には前頭部側部材取付部１２が形成されている。
後頭部側部材２０の前方部には後頭部側部材連結部２１が形成され、後頭部側部材２０の両側方部には後頭部側部材取付部２２が形成されている。
前頭部側部材連結部１１と後頭部側部材連結部２１とは、重ね合わせて前頭部側部材１０と後頭部側部材２０とが連結される。例えば、前頭部側部材連結部１１の内表面に一方の面ファスナーを、後頭部側部材連結部２１の外表面に他方の面ファスナーを設け、それぞれの面ファスナーによって前頭部側部材１０と後頭部側部材２０とを装着する。後頭部側部材連結部２１は、前頭部側部材１０の部材厚さと等しい段差を持って形成されており、前頭部側部材１０と後頭部側部材２０とを連結した状態では、前頭部側部材１０の外表面と後頭部側部材２０の外表面とは同一面となる。前頭部側部材１０と後頭部側部材２０との連結は、前頭部側部材連結部１１と後頭部側部材連結部２１とに凹凸や穴を形成し、相互の凹凸や穴によって係合、又は嵌合することで行うことができる。
【００２０】
前頭部側部材１０の内表面には、前頭部側緩衝材３０を貼り付け、後頭部側部材２０の内表面には後頭部側緩衝材４０を貼り付ける。前頭部側緩衝材３０は、第１の前頭部側緩衝材３１、第２の前頭部側緩衝材３２、第３の前頭部側緩衝材３３によって構成している。第１の前頭部側緩衝材３１にはその中央部に前後方向に伸びるスリット３１ａ、第２の前頭部側緩衝材３２にはその中央部に前後方向に伸びるスリット３２ａ、第３の前頭部側緩衝材３３にはその中央部に前後方向に伸びるスリット３３ａを設けている。後頭部側緩衝材４０は、第１の後頭部側緩衝材４１、第２の後頭部側緩衝材４２、第３の後頭部側緩衝材４３によって構成している。第１の後頭部側緩衝材４１にはその中央部に前後方向に伸びるスリット４１ａ、第２の後頭部側緩衝材４２にはその中央部に前後方向に伸びるスリット４２ａ、第３の後頭部側緩衝材４３にはその中央部に前後方向に伸びるスリット４３ａを設けている。
前頭部側緩衝材３０及び後頭部側緩衝材４０を貼り付けることで、更に人体頭部への衝撃を小さくすることができる。また、前頭部側緩衝材３０及び後頭部側緩衝材４０を３つの部材に分割し、それぞれの部材にスリットを設けることで、前頭部側部材１０及び後頭部側部材２０の内表面の形状に合わせて前頭部側緩衝材３０及び後頭部側緩衝材４０を貼り付けることができる。ここで緩衝材としては、ウレタンが適しているが、発泡剤やゴム材であってもよい。
【００２１】
図１２は本発明の一実施例による頭部保護部材を設けた帽子の正面図、図１３は同帽子の背面図、図１４は同帽子の平面図、図１５は同帽子の右側面図、図１６は同帽子の左側面図、図１７は同帽子の底面図、図１８は同帽子の斜視図である。
【００２２】
本実施例による頭部保護部材は、人体の前頭部及び後頭部を少なくとも覆う帽子１の外表面に設けて用いられる。帽子１としては、クラウン１ａの裾の一部から前方に差し出たつば１ｂを備えたタイプのキャップが適している。帽子１は、柔軟性を有する例えば布繊維で形成するが、耐火布又は耐熱布で形成することが好ましい。
帽子１を耐火布又は耐熱布で形成することで、特に火災時に安全に使用することができる。
帽子１には、一端を帽子１に取り付けた所定長さの装着部材２を設けている。装着部材２の帽子１への取り付けは、縫い付けでも、着脱可能なホックでもよい。
前頭部側部材取付部１２及び後頭部側部材取付部２２には、装着部材２の他端を取り付けている。装着部材２の前頭部側部材取付部１２及び後頭部側部材取付部２２への取り付けは、着脱可能なホックが好ましいが、ビス止めでもよい。
前頭部側部材取付部１２によって装着部材２の他端を取り付けることで前頭部側部材１０を帽子１に取り付け、後頭部側部材取付部２２によって装着部材２の他端を取り付けることで後頭部側部材２０を帽子１に取り付ける。
【００２３】
なお、本実施例では、前頭部側部材取付部１２及び後頭部側部材取付部２２は、前頭部側部材１０又は後頭部側部材２０の両側方部に形成したものを示したが、両側方部に加えて、又は両側方部に代えて、前頭部側部材１０の前方部及び後頭部側部材２０の後方部に形成してもよい。前頭部側部材１０又は後頭部側部材２０の両側方部に代えて前頭部側部材１０の前方部及び後頭部側部材２０の後方部に形成する場合には、それぞれ少なくとも２つの
前頭部側部材取付部１２及び後頭部側部材取付部２２を、所定距離を持たせて形成することが好ましい。
人体が帽子１を装着する状態では、前頭部側部材１０と後頭部側部材２０とが連結されて用いられる。むろん、非災害時には、前頭部側部材１０及び後頭部側部材２０を取り外して帽子１を使用することもできる。
【００２４】
以下に本実施例による頭部保護部材を設けた帽子の収納又は搬送する時の形態について説明する。
図１９は同帽子の第１の収納又は搬送形態を示す正面図、図２０は同帽子の第１の収納又は搬送形態を示す背面図、図２１は同帽子の第１の収納又は搬送形態を示す平面図、図２２は同帽子の第１の収納又は搬送形態を示す右側面図、図２３は同帽子の第１の収納又は搬送形態を示す左側面図、図２４は同帽子の第１の収納又は搬送形態を示す底面図、図２５は同帽子の第１の収納又は搬送形態を示す斜視図である。
【００２５】
帽子１を収納又は搬送する形態では、前頭部側部材１０と後頭部側部材２０とを帽子１に取り付けた状態で、前頭部側部材１０と後頭部側部材２０とを重ね合わせることができる。
第１の収納又は搬送形態では、前頭部側部材１０と後頭部側部材２０とを帽子１に取り付けた状態で、帽子１と前頭部側部材１０との間に後頭部側部材２０を配置する。
なお、前頭部側部材１０と後頭部側部材２０とを帽子１から取り外した状態でも、前頭部側部材１０と後頭部側部材２０とを重ね合わせることができる。
【００２６】
図２６は同帽子の第２の収納又は搬送形態を示す正面図、図２７は同帽子の第２の収納又は搬送形態を示す背面図、図２８は同帽子の第２の収納又は搬送形態を示す平面図、図２９は同帽子の第２の収納又は搬送形態を示す右側面図、図３０は同帽子の第２の収納又は搬送形態を示す左側面図、図３１は同帽子の第２の収納又は搬送形態を示す底面図、図３２は同帽子の第２の収納又は搬送形態を示す斜視図である。
【００２７】
第２の収納又は搬送形態では、前頭部側部材１０と後頭部側部材２０とを帽子１に取り付けた状態で、帽子１と後頭部側部材２０との間に前頭部側部材１０を配置する。
なお、前頭部側部材１０と後頭部側部材２０とを帽子１から取り外した状態でも、前頭部側部材１０と後頭部側部材２０とを重ね合わせることができる。
【００２８】
以上のように本実施例によれば、帽子１の外表面に前頭部側部材１０と後頭部側部材２０とが連結された状態で取り付けられるため、ヘルメットのような人体に対する負担は少なく、また災害時における頭部の防護を行え、更には前頭部側部材１０と後頭部側部材２０とを重ね合わせることができるため、収納性や携帯性に優れている。
また、本実施例によれば、前頭部側部材１０と後頭部側部材２０とは、前頭部側部材連結部１１と後頭部側部材連結部２１とを重ね合わせて連結されるため、前頭部側部材１０と後頭部側部材２０との間に衝撃が加わった場合にも安全性が高い。
また、本実施例によれば、前頭部側部材１０は両側方部又は前方部で帽子１に取り付けられ、後頭部側部材２０は両側方部又は後方部で帽子１に取り付けられるため、前頭部側部材１０と後頭部側部材２０とを帽子１に取り付けた状態で前頭部側部材１０と後頭部側部材２０とを重ね合わせることができる。
また、本実施例によれば、帽子１と前頭部側部材１０との間に後頭部側部材２０を配置して前頭部側部材１０と後頭部側部材２０とを重ね合わせることができるため、帽子１から頭部保護部材を取り外すことなく収納又は携帯することができる。
また、本実施例によれば、所定長さの装着部材２を用いることで、帽子１に頭部保護部材を取り付けた状態での前頭部側部材１０と後頭部側部材２０との重ね合わせを容易に行うことができる。
【産業上の利用可能性】
【００２９】
本発明の頭部保護部材は、キャップ以外の帽子にも装着でき、このような頭部保護部材を外表面に設けた帽子は、火災や地震などの震災時に利用できる他、簡易な作業現場などで用いる携帯用ヘルメット、その他自転車などの乗り物の運転時やスキーなどのスポーツ時に安全性の目的で用いるヘルメットの代用としても利用することができる。
【符号の説明】
【００３０】
１  帽子
２  装着部材
１０  前頭部側部材
１１  前頭部側部材連結部
１２  前頭部側部材取付部
２０  後頭部側部材
２１  後頭部側部材連結部
２２  後頭部側部材取付部
【図１】
2014098221.tif 000003
【図２】
2014098221.tif 000004
【図３】
2014098221.tif 000005
【図４】
2014098221.tif 000006
【図５】
2014098221.tif 000007
【図６】
2014098221.tif 000008
【図７】
2014098221.tif 000009
【図８】
2014098221.tif 000010
【図９】
2014098221.tif 000011
【図１０】
2014098221.tif 000012
【図１１】
2014098221.tif 000013
【図１２】
2014098221.tif 000014
【図１３】
2014098221.tif 000015
【図１４】
2014098221.tif 000016
【図１５】
2014098221.tif 000017
【図１６】
2014098221.tif 000018
【図１７】
2014098221.tif 000019
【図１８】
2014098221.tif 000020
【図１９】
2014098221.tif 000021
【図２０】
2014098221.tif 000022
【図２１】
2014098221.tif 000023
【図２２】
2014098221.tif 000024
【図２３】
2014098221.tif 000025
【図２４】
2014098221.tif 000026
【図２５】
2014098221.tif 000027
【図２６】
2014098221.tif 000028
【図２７】
2014098221.tif 000029
【図２８】
2014098221.tif 000030
【図２９】
2014098221.tif 000031
【図３０】
2014098221.tif 000032
【図３１】
2014098221.tif 000033
【図３２】
2014098221.tif 000034